(57)【要約】【課題】  風力を利用することで、可燃性廃棄物と不燃性可燃物との分別が自動的に行なえ、その後の回収も容易に行なえる産業廃棄物の分別回収装置を提供する。【解決手段】  基台１０の上にフィーダ２０を振動可能に取り付け、このフィーダ２０の内部に、後部に多数の孔６２，６４を穿設したふるい部６０を設置し、上部スロープ３１と下部スロープ３３を傾斜して設置し、上記上部スロープ３１の後端にアジャスタ３９を取り付けると共に、上記フィーダ２０の上方には、前方に送風路７０，８０を連結したフード４０を配置し、このフード４０の上端に産業廃棄物の投入口４１を構成し、下端には産業廃棄物の排出口４２を構成すると共に、内部には反発板５３，５５を取り付けたことを特徴とする。【選択図】図１
2006305445.tif 000002
【特許請求の範囲】
【請求項１】
基台の上にフィーダを振動可能に取り付け、このフィーダの内部には、上部スロープと下部スロープを一定間隔を有して傾斜して設置すると共に、
上記フィーダの上方には、上端に産業廃棄物の投入口を構成し下端に産業廃棄物の排出口を構成したフードを配置し、このフードの前方に送風路を連結してなり、上記送風路を上部送風路と下部送風路によって構成し、さらに上部送風路を分岐して上方に補助送風路を形成し、
上記フード上端の投入口より産業廃棄物を投入し、この産業廃棄物を落下中に送風路から送られてきた風力によって分別し、かつ上部スロープ上に落下した産業廃棄物を送風路から送られてきた風力によって分別し、産業廃棄物を可燃性廃棄物と不燃性廃棄物に分別して回収する産業廃棄物の分別回収装置。
【請求項２】
上記フード内部に、産業廃棄物を分別する反発板を回転可能に軸支したことを特徴とする請求項１記載の産業廃棄物の分別回収装置。
【請求項３】
上記上部スロープの後方に、多数の孔を穿設した合成樹脂板の下面に多数の孔を穿設した金属板を一体に固定し、上記合成樹脂板の孔の径より金属板の孔の径を大きくしたふるい部を配置したことを特徴とする請求項１記載の産業廃棄物の分別回収装置。
【請求項４】
上記フード内部に、産業廃棄物を分別する反発板を回転可能に軸支したことを特徴とする請求項３記載の産業廃棄物の分別回収装置。
【請求項５】
基台の上にフィーダを振動可能に取り付け、このフィーダの内部には、上部スロープと下部スロープを一定間隔を有して傾斜して設置すると共に、
上記フィーダの上方には、上端に産業廃棄物の投入口を構成し下端に産業廃棄物の排出口を構成したフードを配置し、このフードの前方に送風路を連結し、フードの内部には産業廃棄物を分別する反発板を回転可能に軸支し、
上記フード上端の投入口より産業廃棄物を投入し、この産業廃棄物を落下中に送風路から送られてきた風力によって分別し、かつ上部スロープ上に落下した産業廃棄物を送風路から送られてきた風力によって分別し、産業廃棄物を可燃性廃棄物と不燃性廃棄物に分別して回収する産業廃棄物の分別回収装置。
【請求項６】
上記上部スロープの後方に、多数の孔を穿設した合成樹脂板の下面に多数の孔を穿設した金属板を一体に固定し、上記合成樹脂板の孔の径より金属板の孔の径を大きくしたふるい部を配置したことを特徴とする請求項５記載の産業廃棄物の分別回収装置。
【請求項７】
基台の上にフィーダを振動可能に取り付け、このフィーダの内部には、上部スロープと下部スロープを一定間隔を有して傾斜して設置すると共に、
上記上部スロープの後方に、多数の孔を穿設した合成樹脂板の下面に多数の孔を穿設した金属板を一体に固定し、上記合成樹脂板の孔の径より金属板の孔の径を大きくしたふるい部を配置し、
上記フィーダの上方には、上端に産業廃棄物の投入口を構成し下端に産業廃棄物の排出口を構成したフードを配置し、このフードの前方に送風路を連結してなり、
上記フード上端の投入口より産業廃棄物を投入し、この産業廃棄物を落下中に送風路から送られてきた風力によって分別し、かつ上部スロープ上に落下した産業廃棄物を送風路から送られてきた風力によって分別し、産業廃棄物を可燃性廃棄物と不燃性廃棄物に分別して回収する産業廃棄物の分別回収装置。
【発明の詳細な説明】
【技術分野】
【０００１】
本発明は、風力を利用して産業廃棄物を効率よく分別して回収する装置に関するものである。
【背景技術】
【０００２】
従来より産業廃棄物を分別して回収する装置があった。特許文献１に示す従来は産業廃棄物等の廃棄原料を可能な限り、人手によらず風力によって分別し効率よく分別回収するようにしたものである。
【特許文献１】特開２０００−１５３２６０
【０００３】
しかしながら、この装置によれば、破砕した微小片を風力分別工程Ｐで風力により質量ごとに分別し、風力分別されたか各微小片を、比重・質量分別工程で所定速度で流れる液体に落下させて、比重及び質量ごとに再分別するものである。
そのため上記装置では、流水部、流水トンネル等が必要となり、装置が大掛りになると共に、その操作も煩雑であった。
【発明の開示】
【発明が解決しようとする課題】
【０００４】
本発明は上記の点に鑑みなされたものであり、簡単な機構で産業廃棄物を風力を用いて効率よく分別できる産業廃棄物の分別回収装置を提供するものである。
【課題を解決するための手段】
【０００５】
本発明の要旨とするところは、基台の上にフィーダを振動可能に取り付け、このフィーダの内部には、上部スロープと下部スロープを一定間隔を有して傾斜して設置すると共に、上記フィーダの上方には、上端に産業廃棄物の投入口を構成し下端に産業廃棄物の排出口を構成したフードを配置し、このフードの前方に送風路を連結してなり、上記送風路を上部送風路と下部送風路によって構成し、さらに上部送風路を分岐して上方に補助送風路を形成し、上記フード上端の投入口より産業廃棄物を投入し、この産業廃棄物を落下中に送風路から送られてきた風力によって分別し、かつ上部スロープ上に落下した産業廃棄物を送風路から送られてきた風力によって分別し、産業廃棄物を可燃性廃棄物と不燃性廃棄物に分別して回収する産業廃棄物の分別回収装置である。
【０００６】
また、本発明の要旨とするところは、上記フード内部に、産業廃棄物を分別する反発板を回転可能に軸支したことを特徴とする。
【０００７】
また、本発明の要旨とするところは、上記上部スロープの後方に、多数の孔を穿設した合成樹脂板の下面に多数の孔を穿設した金属板を一体に固定し、上記合成樹脂板の孔の径より金属板の孔の径を大きくしたふるい部を配置したことを特徴とする。
【０００８】
また、本発明の要旨とするところは、上記フード内部に、産業廃棄物を分別する反発板を回転可能に軸支したことを特徴とする。
【０００９】
本発明の要旨とするところは、基台の上にフィーダを振動可能に取り付け、このフィーダの内部には、上部スロープと下部スロープを一定間隔を有して傾斜して設置すると共に、上記フィーダの上方には、上端に産業廃棄物の投入口を構成し下端に産業廃棄物の排出口を構成したフードを配置し、このフードの前方に送風路を連結し、フードの内部には産業廃棄物を分別する反発板を回転可能に軸支し、上記フード上端の投入口より産業廃棄物を投入し、この産業廃棄物を落下中に送風路から送られてきた風力によって分別し、かつ上部スロープ上に落下した産業廃棄物を送風路から送られてきた風力によって分別し、産業廃棄物を可燃性廃棄物と不燃性廃棄物に分別して回収する産業廃棄物の分別回収装置である。
【００１０】
また、本発明の要旨とするところは、上記上部スロープの後方に、多数の孔を穿設した合成樹脂板の下面に多数の孔を穿設した金属板を一体に固定し、上記合成樹脂板の孔の径より金属板の孔の径を大きくしたふるい部を配置したことを特徴とする。
【００１１】
本発明の要旨とするところは、基台の上にフィーダを振動可能に取り付け、このフィーダの内部には、上部スロープと下部スロープを一定間隔を有して傾斜して設置すると共に、上記上部スロープの後方に、多数の孔を穿設した合成樹脂板の下面に多数の孔を穿設した金属板を一体に固定し、上記合成樹脂板の孔の径より金属板の孔の径を大きくしたふるい部を配置し、上記フィーダの上方には、上端に産業廃棄物の投入口を構成し下端に産業廃棄物の排出口を構成したフードを配置し、このフードの前方に送風路を連結してなり、上記フード上端の投入口より産業廃棄物を投入し、この産業廃棄物を落下中に送風路から送られてきた風力によって分別し、かつ上部スロープ上に落下した産業廃棄物を送風路から送られてきた風力によって分別し、産業廃棄物を可燃性廃棄物と不燃性廃棄物に分別して回収する産業廃棄物の分別回収装置である。
【発明の効果】
【００１２】
請求項１に係る産業廃棄物の分別回収装置は、上記のような構成であるから、産業廃棄物をフードの前方に設けた上部送風路と下部送風路及び上部送風路から分岐した補助送風路から送られてくる風力と、フィーダ内部の上部スロープと下部スロープの振動等を利用して効率よく分別して、可燃性廃棄物と不燃性廃棄物に自動的に分別回収できる。
【００１３】
請求項２に係る産業廃棄物の分別回収装置は、請求項１で述べた効果に加え、上記フード内部に回転可能に軸支された反発板によって、比較的重量のある廃棄物は前方に、比較的軽い廃棄物は後方へと分別できる。
【００１４】
請求項３に係る産業廃棄物の分別回収装置は、請求項１で述べた効果に加え、上記上部スロープの後方に、多数の孔を穿設した合成樹脂板と金属板を一体に固定したふるい部を構成したため、ふるい部の孔の目詰まりが防止でき、廃棄物を効率よく分別できる。
【００１５】
請求項４に係る産業廃棄物の分別回収装置は、請求項３で述べた効果に加え、上記フード内部に回転可能に軸支された反発板によって、比較的重量のある廃棄物は前方に、比較的軽い廃棄物は後方へと分別できる。
【００１６】
請求項５に係る産業廃棄物の分別回収装置は、上記のような構成であるから、産業廃棄物をフードの前方に設けた送風路から送られてくる風力と、上記フード内部に回転可能に軸支された反発板によって比較的重量のある廃棄物は前方に、比較的軽い廃棄物は後方へと分別できると共に、フィーダ内部の上部スロープと下部スロープの振動等を利用して効率よく分別して、可燃性廃棄物と不燃性廃棄物に自動的に分別回収できるのである。
【００１７】
請求項６に係る産業廃棄物の分別回収装置は、請求項５の効果に加え、上記上部スロープの後方に、多数の孔を穿設した合成樹脂板の下面に多数の孔を穿設した金属板を一体に固定し、上記合成樹脂板の孔の径より金属板の孔の径を大きくしたふるい部を構成したため、孔の目詰まりが防止でき、廃棄物を効率よく分別できる。
【００１８】
請求項７に係る産業廃棄物の分別回収装置は、 上記のような構成であるから、産業廃棄物をフードの前方に設けた送風路から送られてくる風力と、フィーダ内部の上部スロープと下部スロープの振動等を利用して効率よく分別し更に、
上記上部スロープの後方に、多数の孔を穿設した合成樹脂板と金属板を一体に固定したふるい部を構成したため、ふるい部の孔の目詰まりが防止でき、廃棄物を効率よく分別でき、可燃性廃棄物と不燃性廃棄物に自動的に分別回収できるのである。
【発明を実施するための最良の形態】
【００１９】
本発明を実施するための最良の形態は、基台の上にフィーダを振動可能に取り付け、このフィーダの内部には、上部スロープと下部スロープを一定間隔を有して傾斜して設置すると共に、
上記上部スロープの後方に、多数の孔を穿設した合成樹脂板の下面に多数の孔を穿設した金属板を一体に固定し、上記合成樹脂板の孔の径より金属板の孔の径を大きくしたふるい部を配置し、
上記フィーダの上方には、上端に産業廃棄物の投入口を構成し下端に産業廃棄物の排出口を構成したフードを配置し、このフードの前方に送風路を連結してなり、上記送風路を上部送風路と下部送風路によって構成し、さらに上部送風路を分岐して補助送風路を形成し、
上記フードの内部には、産業廃棄物を分別する反発板を回転可能に軸支し、
上記フード上端の投入口より産業廃棄物を投入し、この産業廃棄物を落下中に送風路から送られてきた風力によって分別し、かつ上部スロープ上に落下した産業廃棄物を送風路から送られてきた風力によって分別し、産業廃棄物を可燃性廃棄物と不燃性廃棄物に分別して回収する産業廃棄物の分別回収装置である。
【００２０】
図１は本発明の一実施形態の一部断面正面図、図２は同一部省略平面図、図３は同風の流れを説明した要部断面図、図４は同一部省略拡大側面図、図５は同ふるい部の拡大正面図および図６は同ふるい部の一部切欠拡大平面図である。
【００２１】
本実施形態の産業廃棄物の分別回収装置１の構成を図に基づいて説明する。
図１ないし図４において、符号１０は地上に立設した基台であり、この基台１０の上には４基のスプリング１５に支持されてフィーダ２０が取り付けられている。このフィーダ２０は、基台１０下部に設けたモータ１１の働きによって振動を与えられると、上記スプリング１５の作用で上下前方方向に振動するのである。
【００２２】
上記フィーダ２０の内部には、上部スロープ３１と下部スロープ３３が一定間隔を有した平行状態で、前方（図中左方）下方に向かって傾斜して配置されている。
【００２３】
上部スロープ３１は図２に示すように、前端から距離Ｌ２の部分は通常の鉄板で構成されているが、後方の距離Ｌ１の部分は全面に亘って多数の孔を穿設したふるい部６０が配置してある。また、下部スロープ３３はすべて通常の鉄板で構成してある。
上記上部スロープ３１の後端には、産業廃棄物を一時的に滞留させるためのアジャスタ３９が後部上方に向かって傾斜して取り付けられている。
【００２４】
図５、図６に基づき、上記ふるい部６０の構成を説明すると、軟質の合成樹脂であるウレタン板６１に多数の孔６２を均等に穿設し、このウレタン板６１の下面に、多数の孔６４を均等に穿設した鉄板６３を一体に固定してなる。そして、上記ウレタン板６１の孔６２の径より鉄板６３の孔６４の径を大きくし、かつ両方の孔６２，６４の中心位置を一致させて配置してある。なお、本実施形態では、ウレタン板６１の孔６２の径を１６ｍｍ、鉄板６３の孔６４の径を２０ｍｍとした。
【００２５】
上記フィーダ２０の上部には、前方に上部送風路７０および下部送風路８０を連結したフード４０を配置してある。上部送風路７０は、吹出口を分岐させて、下方に主送風路７１、上方に補助送風路７２を構成している。
そして、フード４０の上端には産業廃棄物の投入口４１を構成し、下端には産業廃棄物を上部スロープ３１上に落下させるための排出口４２を構成してある。さらに後方には開口部４３を構成してなる。
なお、符号４７は落下してくる産業廃棄物の衝撃を吸収するための吸収板である。
【００２６】
上記フード４０の内部上方には、２枚の反発板５３がそれぞれ両側をアングル５４によって軸５１に固定され、フード４０に軸支されている。この反発板５３は、表面に多数の孔５２を穿設してなるものであり、送風路７０，８０から送られてくる風の吹き出し方向に対して直交した状態で回転自在に軸支されている。
送風路からの風によって運ばれてきた廃棄物が、この反発板５３に衝突してはじかれるが、このとき比較的重量のある廃棄物は前方に、比較的軽い廃棄物は後方へとはじかれて分別されていく。
また、下端の排出口４２の後方には反発板５５が後部上方に向かって傾斜して固定されている。
【００２７】
上記のように構成した本実施形態の作用を説明する。
まず、ベルトコンベア７９で産業廃棄物を運んできてフード４０上端の投入口４１から投入する。
ここで投入される産業廃棄物は、いわゆる残渣物である。すなわち本件発明の対象とする産業廃棄物とは、産業廃棄物のうち手で分別できるある程度の大きさのものを除去し、さらに粉塵対策のため微細物も除去した残りの手選別の困難な産業廃棄物であり、前処理済みの一定以上の大きさのものをいう。
この産業廃棄物の中には、廃プラスチック、木屑のような可燃性廃棄物と、ガレキ類、鉄などのような不燃性廃棄物が含まれている。
【００２８】
上記主送風路７１の上部に構成した補助送風路７２からは、上部送風路７０から分岐した風Ｂ８が吹き出している。この補助送風路７２は風の吹出口が下方に傾斜しているため、風Ｂ８はフード４内の下部に向って吹き出し、フード４０に投入された産業廃棄物は、スムーズに下方へと運ばれていく。
【００２９】
次いで、上記産業廃棄物は、ファン７４から上部送風路７０の主送風路７１を通って送られてくる風Ｂ１によって後方（図中右側）への風圧を受けるため、比較的軽い産業廃棄物は後方へ運ばれて反発板５３へ衝突する。この反発板５３は、軸５１に対して回動可能となっているため、産業廃棄物の衝突のショックを吸収して下方に落下させる。このとき、金属やガレキ類のように比較的重量のある廃棄物は反発力が大きいため前方に、木屑やプラスチックのように比較的軽い廃棄物は後方へと分別されていく。
さらに、上記反発板５３は、産業廃棄物の外部への流出を防ぐ役割もするのである。
【００３０】
その後、風Ｂ１はフード４０の後方の開口部４３から外に抜ける。このとき一部の産業廃棄物も外に運ばれるが、それらの産業廃棄物は分別回収装置１の後方に配置したフレーム９５によって集められる。
【００３１】
上記産業廃棄物のうち、比較的重い産業廃棄物は上部スロープ３１の上に落下する。この落下した産業廃棄物Ｇは、ファン７３から下部送風路８０を通って送られてくる風Ｂ２によって前方から強い風圧を受ける。
【００３２】
下部送風路８０からの風Ｂ２は斜め下方に向かって吹きつけられるが、前方の反発板５５によって上方の風Ｂ３と下方の風Ｂ４に分かれる。
そして、風Ｂ４のように、下方前方に向かって吹いている風は、ある地点から二つに分かれ、一方の風は前方に行き、他方の風はＵターンして逆方向へ向かっていく特性がある。
本実施形態の場合に、風Ｂ４は一定の地点Ｐにおいて分岐して、前方に向かう風Ｂ７と逆方向に向かう風Ｂ５となる。
【００３３】
一方、上記のように上部スロープ３１上に落下した産業廃棄物Ｇは、風によって後方に運ばれて、アジャスタ３９によって止められて一時的に滞留する。この滞留した産業廃棄物Ｇに風圧が作用して、分別が行なわれるのである。
すなわち、風Ｂ７は産業廃棄物Ｇの上方を通るため、比較的軽い可燃性物質は開口部４３より外部へと運ばれていく。
【００３４】
風Ｂ６は上部スロープ３１の後部に設けられたふるい部６０の多数の孔６２，６４を通過して下部スロープ３１との間隙３１ａに入って前方へと進んでいき、このとき産業廃棄物Ｇのうち細くて重いものが上記孔６２，６４から吸い込まれて、上記間隙３１ａを通って前方へ運ばれていくのである。
【００３５】
なお、図５に示すように、ふるい部６０の上面のウレタン板６１の孔６２に産業廃棄物Ｇが詰まった場合には、当該産業廃棄物Ｇを上方から押圧すると、ウレタン板６１は軟質材であるので、孔６２が広がり産業廃棄物Ｇは容易に通過することができる。
そして、鉄板６３の孔６４はウレタン板６１の孔６２よりも径が大きいため、孔６２を通過した産業廃棄物Ｇは容易に孔６４を通過して落下していく。そのためふるい部６０の目詰まりは簡単に解消できるのである。
【００３６】
上記反発板５５の作用を説明すると、反発板５５に衝突した産業廃棄物のうち、比較的重い不燃性物質は強い反発力を受けて前方へはじき返されるが、比較的軽い可燃性物質は前方へ飛ばないで風Ｂ７によって外部へ運ばれていくのである。
【００３７】
風Ｂ４から地点Ｐで分岐して逆方向へ向かった風Ｂ５は、残りの産業廃棄物、例えばガレキ等の不燃性廃棄物を上部スロープ３１上を前方のボックス９１へと運んでいく。
【００３８】
上記において上部スロープ３１はモータ１１によって上下前方向へ振動しているから、滞留した産業廃棄物Ｇは常に振動が与えられて、その結果自然とほぐされているため、風力によって十分な分別が可能となるのである。
また、上述のように上部スロープ３１上の産業廃棄物Ｇは、風Ｂ５、風Ｂ６、風Ｂ７の作用によって効率よく分別され、かつ振動の作用と上記ふるい部６０の作用もあいまってスムーズに運ばれていくため、アジャスタ３９の滞留部分が閉塞することはない。
【００３９】
上記のように産業廃棄物を風力によって分別すると、産業廃棄物に含まれる可燃性廃棄物の約９５％以上は後方へ排出され、不燃性廃棄物の約９５％以上は前方へと運ばれてボックス９１に収容されるのである。
このように、本実施形態によれば、風力と上部スロープと下部スロープの振動及び反発板の作用を利用して、可燃性廃棄物と不燃性廃棄物を効率よく自動的に分別して、可燃性廃棄物の中に不燃性廃棄物を混在させないで分別回収が行なえるのである。
【図面の簡単な説明】
【００４０】
【図１】本発明の一実施形態の一部断面正面図
【図２】本発明の一実施形態の一部省略平面図
【図３】本発明の一実施形態の風の流れを説明した要部断面図
【図４】本発明の一実施形態の一部省略拡大側面図
【図５】本発明の一実施形態のふるい部の拡大正面図
【図６】本発明の一実施形態のふるい部の一部切欠拡大平面図
【符号の説明】
【００４１】
１  産業廃棄物の分別回収装置
１０  基台
１５  スプリング
２０  フィーダ
３１  上部スロープ
３３  下部スロープ
３９  アジャスタ
４０  フード
４１  産業廃棄物の投入口
４２  産業廃棄物の排出口
４３  開口部
４４  孔
５３  反発板
５５  反発板
６０  ふるい部
６１  合成樹脂板
６３  金属板
７０  上部送風路
７１  主送風路
７２  補助送風路
７３  ファン
７４  ファン
８０  下部送風路
【図１】
2006305445.tif 000003
【図２】
2006305445.tif 000004
【図３】
2006305445.tif 000005
【図４】
2006305445.tif 000006
【図５】
2006305445.tif 000007
【図６】
2006305445.tif 000008